(57)【特許請求の範囲】
【請求項１】
ワークに対して着脱自在に取り付けられ、このワークに形成されたテープ貼付面にリーダー部と貼付部と余長部とが一体的に形成されている剥離シート付き粘着テープの貼付部から剥離した粘着テープを貼着するためのテープ貼付装置であって、
前記ワークの所定位置に対して着脱自在に係止し得る係止部および前記貼付部の一端側に続くリーダー部が連結されるリーダー部取り付け部を有する上部ユニットと、
前記ワークの所定位置に着脱自在に係止し得る係止部および前記貼付部の他端側に続く余長部が巻き付けられる回転自在な保持ローラを有する下部ユニットとを具え、前記リーダー部取り付け部は、前記上部ユニットを前記ワークの所定位置に係止した状態において、前記テープ貼付面の一端側に近接して配置され、前記保持ローラは、前記下部ユニットを前記ワークの所定位置に係止した状態において、前記テープ貼付面の他端側から離れて配置されることを特徴とするテープ貼付装置。
【請求項２】
前記リーダー部取り付け部は、前記リーダー部に設けられた連結孔に嵌合されるピンを有することを特徴とする請求項１に記載のテープ貼付装置。
【請求項３】
前記ワークは車両のドアパネルであり、前記テープ貼付面はその縦窓枠部の表面であることを特徴とする請求項１または請求項２に記載のテープ貼付装置。
【請求項４】
前記テープ貼付面の一端側の幅寸法に対して他端側の幅寸法が相違していることを特徴とする請求項１から請求項３の何れかに記載のテープ貼付装置。
【請求項５】
ワークに形成されたテープ貼付面の長手方向一端側に対してリーダー部と貼付部と余長部とが一体的に形成されている剥離シート付き粘着テープの貼付部の一端側が近接するように、前記貼付部の一端側に続くリーダー部を前記ワークに対して位置決め状態で固定するステップと、
前記テープ貼付面の長手方向他端側から前記貼付部の他端側がその対向方向に沿って離れるように、前記貼付部の他端側に続く余長部を前記ワークに対して位置決め状態で保持するステップと、
前記貼付部の一端側から剥離シートを剥がして粘着テープの一端側を前記テープ貼付面の長手方向一端側に押し付けて貼着させるステップと、
前記粘着テープの一端側から前記剥離シートを剥がしながら前記粘着テープをその一端側から他端側へと順に前記テープ貼付面に押し付けて貼着させるステップと、
前記リーダー部および前記余長部を前記テープ貼付面に貼着された前記粘着テープから切り離すステップと
を具えたことを特徴とするテープ貼付方法。
【請求項６】
前記剥離シート付き粘着テープは、剥離シートが接合している粘着テープの反対面にカバーフィルムが剥離可能に接合されており、前記リーダー部および前記余長部を前記粘着テープから切り離すステップは、前記カバーフィルムを粘着テープから剥離するステップを含むことを特徴とする請求項５に記載のテープ貼付方法。
【請求項７】
前記ワークは車両のドアパネルであり、前記テープ貼付面はその縦窓枠部の表面であることを特徴とする請求項５または請求項６に記載のテープ貼付方法。
【請求項８】
前記テープ貼付面の一端側の幅寸法に対して他端側の幅寸法が相違していることを特徴とする請求項５から請求項７の何れかに記載のテープ貼付方法。
【発明の詳細な説明】
【０００１】
【発明の属する技術分野】
本発明は、ワークに形成されたテープ貼着面に沿って帯状の粘着テープを剥離シートから剥離して貼付するためのテープ貼付装置およびその貼付方法に関する。
【０００２】
【従来の技術】
自動車のドアパネルに形成される窓枠部（ドアサッシュ）の内側および外側を艶消しの黒色にすることは、車外、特に車体の側方から見た時の窓枠部の光の反射を抑え、車室内だけではなく、車体全体のすっきりとした景観を確保する上で望ましいことである。
【０００３】
このようなことから、窓枠部に艶消しの黒色塗料を吹き付け塗装することが従来から行われている。しかし、吹き付け塗装は、作業環境を良好に保つための附帯設備に費用が嵩む上、塗料の乾燥までに時間が掛かるなどの種々の不具合があるため、その代わりとして耐候性や耐摩耗性などの良好な艶消しの黒色粘着テープを窓枠部に貼着することが特開昭５１−１３５０１５号公報や、特開昭６２−４６７８０号公報などで提案されている。この場合、自動車の窓枠部は、周知のように三次元的な曲面部分が大部分を占めているため、上述した貼着装置は極めて大がかりとなって、実際の生産ラインに組み込んだ場合、生産ラインの設備コストが嵩む上、窓枠部の設計変更に対する追従性が悪く、汎用性に乏しいものであった。
【０００４】
しかし、この貼着作業を作業者が何らかの治具類を使用せずに手作業のみで行おうとした場合、自動車の製造ラインに対応した速度でこれを正確に行うことは、極めて高い作業熟練度が要求されることとなる。
【０００５】
そこで、上述した作業を熟練作業者ならずとも容易かつ迅速に行えるように、例えば特開平５−３３８６２７号公報などに開示されたテープ貼付装置が提案されており、このテープ貼付装置を用いることによって、熟練作業者ならずとも容易かつ迅速に窓枠部の所定位置に粘着テープを正確に貼着することができるようになっている。この他、ウェザストリップを窓枠部に自動的に組み付ける装置、例えば特開平２−２２１５８２号公報や、特開平３−１６６０６８号公報、あるいは特公平５−６５２９８号公報に開示されたものも応用可能であると考えられている。
【０００６】
【発明が解決しようとする課題】
特開平５−３３８６２７号公報に開示された従来のテープ貼付装置は、構造が複雑で可動部品が多く、製造コストが嵩む不具合がある上、一定幅寸法のテープを使用することを前提としているため、幅寸法が上下で異なる縦窓枠部にこれを適合させることは基本的に困難である。
【０００７】
一方、特開平２−２２１５８２号公報や、特開平３−１６６０６８号公報、あるいは特公平５−６５２９８号公報に開示されたウェザストリップの取り付け装置をテープ貼付装置に応用しようとした場合、ドアパネルの保持や位置決め装置の他にマニプレータを設置するためのスペースが必要であり、自動車の生産ラインを変更しなければ、これに対応できなくなる不具合がある。
【０００８】
【発明の目的】
本発明の目的は、幅寸法がその長手方向に沿って相違するようなドアパネルの縦窓枠部の表面に対し、熟練作業者ならずとも容易かつ迅速に粘着テープを正確に貼着することが可能なテープ貼付装置およびテープ貼付方法を低コストにて提供することにある。
【０００９】
【課題を解決するための手段】
本発明の第１の形態は、ワークに対して着脱自在に取り付けられ、このワークに形成されたテープ貼付面にリーダー部と貼付部と余長部とが一体的に形成されている剥離シート付き粘着テープの貼付部から剥離した粘着テープを貼着するためのテープ貼付装置であって、前記ワークの所定位置に対して着脱自在に係止し得る係止部および前記貼付部の一端側に続くリーダー部が連結されるリーダー部取り付け部を有する上部ユニットと、前記ワークの所定位置に着脱自在に係止し得る係止部および前記貼付部の他端側に続く余長部が巻き付けられる回転自在な保持ローラを有する下部ユニットとを具え、前記リーダー部取り付け部は、前記上部ユニットを前記ワークの所定位置に係止した状態において、前記テープ貼付面の一端側に近接して配置され、前記保持ローラは、前記下部ユニットを前記ワークの所定位置に係止した状態において、前記テープ貼付面の他端側から離れて配置されることを特徴とするものである。
【００１０】
本発明によると、上部ユニットの係止部をワークの所定位置に係止すると共に下部ユニットの係止部をワークの所定位置に係止した後、下部ユニットの保持ローラに剥離シート付き粘着テープの余長部側を巻き付け、この保持ローラから引き出された状態となる剥離シート付き粘着テープのリーダー部を上部ユニットのリーダー部取り付け部に連結することにより、剥離シート付き粘着テープの貼付部を上部ユニットのリーダー部取り付け部と下部ユニットの保持ローラとの間に掛け渡した状態とする。そして、リーダー部側の貼付部から剥離シートを引き剥がし、粘着テープの一端側をテープ貼付面に押し付けて貼着させる。これに引き続き、さらに粘着テープの一端側から剥離シートを剥がしながら粘着テープをその一端側から他端側へと順にテープ貼付面に押し付けて貼着させる。しかる後、テープ貼付面に貼着された粘着テープからリーダー部および余長部をそれぞれ切り離し、ワークから上部ユニットおよび下部ユニットを取り外す。
【００１１】
本発明の第２の形態は、ワークに形成されたテープ貼付面の長手方向一端側に対してリーダー部と貼付部と余長部とが一体的に形成されている剥離シート付き粘着テープの貼付部の一端側が近接するように、この貼付部の一端側に続くリーダー部を前記ワークに対して位置決め状態で固定するステップと、前記テープ貼付面の長手方向他端側から前記貼付部の他端側がその対向方向に沿って離れるように、前記貼付部の他端側に続く余長部を前記ワークに対して位置決め状態で保持するステップと、前記貼付部の一端側から剥離シートを剥がして粘着テープの一端側を前記テープ貼付面の長手方向一端側に押し付けて貼着させるステップと、前記粘着テープの一端側から前記剥離シートを剥がしながら前記粘着テープをその一端側から他端側へと順に前記テープ貼付面に押し付けて貼着させるステップと、前記リーダー部および前記余長部を前記テープ貼付面に貼着された前記粘着テープから切り離すステップとを具えたことを特徴とするテープ貼付方法にある。
【００１２】
本発明によると、剥離シート付き粘着テープの貼付部の一端側に続くリーダー部をワークに対して位置決め状態で固定し、ワークに形成されたテープ貼付面の長手方向一端側に対して貼付部の一端側を近接状態に保持する一方、貼付部の他端側に続く余長部をワークに対して位置決め状態で保持し、テープ貼付面の長手方向他端側から貼付部の他端側をその対向方向に沿って離す。そして、貼付部の一端側から剥離シートを剥がして粘着テープの一端側をテープ貼付面の長手方向一端側に押し付けて貼着させ、さらに粘着テープの一端側から剥離シートを剥がしながら粘着テープをその一端側から他端側へと順にテープ貼付面に押し付けて貼着させる。しかる後、テープ貼付面に貼着された粘着テープからリーダー部および余長部をそれぞれ切り離す。
【００１３】
【発明の実施の形態】
本発明の第１の形態によるテープ貼付装置において、リーダー部に設けられた連結孔に嵌合されるピンをリーダー部取り付け部に突設するようにしてもよい。
【００１４】
また、本発明の第２の形態によるテープ貼付方法において、剥離シートが接合している粘着テープの反対面にカバーフィルムを剥離可能に接合しておき、リーダー部および余長部を粘着テープから切り離す際に、カバーフィルムを粘着テープから剥離するようにしてもよい。さらに、テープ貼付面に貼付された粘着テープの幅方向両端部をワークに巻き込んで貼着するようにしてもよい。
【００１５】
本発明の第１および第２の形態において、ワークが車両のドアパネルであって、テープ貼付面がその縦窓枠部の表面であってもよい。また、テープ貼付面の一端側の幅寸法に対して他端側の幅寸法が相違していてもよい。
【００１６】
【実施例】
本発明によるテープ貼付装置を乗用自動車のフロントドアパネルの縦窓枠部１３に対して応用した一実施例について、図１〜図１５を参照しながら詳細に説明するが、本発明はこのような実施例に限らず、リヤドアパネルの縦窓枠部や、同様な課題を内包する他の分野の技術にも応用することができる。
【００１７】
ここで、図１は本発明の対象となった乗用自動車の外観を表し、図２はそのフロントドアパネル１２の縦窓枠部１３に用いられる剥離シート付き粘着テープ１１の斜視図である。すなわち、本実施例における剥離シート付き粘着テープ１１は、これが用いられる乗用自動車のフロントドアパネル１２の縦窓枠部１３のテープ貼付面１４と対応した形状を有する貼付部１５と、その上端に続くリーダー部１６と、貼付部１５の下端に続く余長部１７とが一体的に形成されている。
【００１８】
剥離シート付き粘着テープ１１の図示しない粘着剤が塗布された粘着テープ１８は、粘着剤が塗布された面が剥離シート１９の上に剥離可能に接合されており、この粘着テープ１８の剥離シート１９が接合している反対の面にはカバーフィルム２０が接合されている。粘着テープ１８は、剥離シート１９に対して剥離可能であり、カバーフィルム２０も粘着テープ１８に対して剥離可能となっている。このように、本実施例ではカバーフィルム２０を粘着テープ１８の表面に接合しているが、ワークによってはカバーフィルム２０を省略することも当然可能である。
【００１９】
本実施例における貼付部１５は、乗用自動車のフロントドアパネル１２の縦窓枠部１３のテープ貼付面１４の形状に対応して上端側ほどその幅寸法（図２中、左右方向の長さ）が短くなったテーパ状をなしており、テープ貼付面１４に粘着テープ１８を貼付した後、後述するようにその幅方向両端部を縦窓枠部１３に巻き込み、つまりテープ貼付面１４の裏側に折り返すようにしているため、粘着テープ１８はテープ貼付面１４よりも広い幅寸法に設定されている（図１５参照）。
【００２０】
リーダー部１６には、後述する上部ユニットの位置決めピンに差し込まれる一対の係合穴２１が形成されている。貼付部１５とリーダー部１６および余長部１７との間には、剥離シート１９から粘着テープ１８に達する切り込み２２がそれぞれ入れられ、カバーフィルム２０を粘着テープ１８から剥離した際に、このカバーフィルム２０に対してリーダー部１６および余長部１７が縦窓枠部１３のテープ貼付面１４に貼着された粘着テープ１８から一体的に引き離されるようになっている。
【００２１】
なお、図２中の符号で２３は、貼付部１５と余長部１７との間に形成された切り欠き穴部であり、本実施例における縦窓枠部１３のテープ貼付面１４の下端形状に対応させたものである。
【００２２】
本実施例におけるテープ貼付装置は、縦窓枠部１３の上端側に取り付けられる上部ユニット２４と、縦窓枠部１３の下端側に取り付けられる下部ユニット３７とを具えている。ここで、上部ユニット２４の外観を図３に示し、その平面形状を図４に示し、そのＶ−Ｖ矢視断面形状, VI−VI矢視断面形状を図５, 図６にそれぞれ示す。すなわち、本実施例における上部ユニット２４には、縦窓枠部１３の上端部に対して取り外し可能に係止し得る上係止部２５と、剥離シート付き粘着テープ１１の貼付部１５の一端側に続くリーダー部１６の係合穴２１に差し込まれてリーダー部１６が連結される一対の位置決めピン２６を有するリーダー部取り付け部２７とを具えている。
【００２３】
上係止部２５によってドアパネル１２の所定位置に取り外し可能に上部ユニット２４を固定した場合、リーダー部取り付け部２７の位置決めピン２６は、テープ貼付面１４よりも前方（図６中、右方向）に突出するように、縦窓枠部１３に近接状態でその直上に位置決めされる。
【００２４】
上係止部２５には、縦窓枠部１３の上端から側方に延在する横窓枠部２８に形成された溝状部分２９に係合して上部ユニット２４を図５中、左右方向に位置決めするための係合凸部３０と、縦窓枠部１３の裏面に突設された突起部３１が差し込まれて上部ユニット２４を図６中、上下方向に位置決めするための係合溝部３２と、縦窓枠部１３の上端が差し込まれて上部ユニット２４を係合凸部３０と共に図６中、左右方向に位置決めするための保持部３３とが設けられている。この場合、縦窓枠部１３の突起部３１が係合溝部３２の止まり端３４に当接するまで、上係止部２５を横窓枠部２８に沿って図４中、左方向に摺動させるようにしており、この位置が横窓枠部２８に対する上部ユニット２４の図４中、左右方向に沿った正規取り付け位置となる。また、横窓枠部２８に対して縦窓枠部１３の突起部３１を中心とする上係止部２５の浮き上がりを阻止するため、上部ユニット２４の上係止部２５には、横窓枠部２８の上端面に近接状態で対向する永久磁石３５が埋設されており、この永久磁石３５の磁力により上部ユニット２４が横窓枠部２８から浮き上がったりせずに安定して保持されるように配慮している。
【００２５】
なお、図中の符号で３６は、貼付部１５をテープ貼付面１４に貼付する際にリーダー部１６の下部をテープ貼付面１４側に導くための案内板であり、リーダー部取り付け部２７に対して一体的に固定されている。また、上述した上係止部２５の構成は、ワークであるフロントドアパネル１２の所定位置に対して上部ユニット２４を確実に固定できさえすれば、このフロントドアパネル１２の形状に応じて任意に変更することが可能である。
【００２６】
一方、下部ユニットの外観を表す図７およびその平面形状を表す図８およびその左側面形状を表す図９に示すように、下部ユニット３７には、縦窓枠部１３の下端部に対して取り外し可能に係止し得る下係止部３８と、貼付部１５の他端側に続く余長部１７が巻き付けられる回転自在な保持ローラ３９とを具えている。
【００２７】
下係止部３８は、縦窓枠部１３のランチャンネル４０の下端に差し込まれて下部ユニット３７を図９中、左右方向に位置決めするための第１嵌合部４１と、この第１嵌合部４１の直下に位置して縦窓枠部１３が立ち上がるフロントドアパネル１２の後端部に形成された開口部４２に差し込まれて下部ユニット３７を図９中、右方向の位置決めのための第２嵌合部４３と、この第２嵌合部４３と相隔ててフロントドアパネル１２の上端部に形成された開口部４４に差し込まれて第２嵌合部４３と共に下部ユニット３７を図９中、下方向に位置決めするためのブラケット４６と、図８中、下部ユニット３７の左右の回転を規制する第３嵌合部４５とを有する。
【００２８】
なお、この下係止部３８の構成は、ワークであるフロントドアパネル１２の所定位置に対して下部ユニット３７を確実に固定できさえすれば、このフロントドアパネル１２の形状に応じて任意に変更することが可能である。
【００２９】
下係止部３８には、下部ユニット３７をドアパネル１２に取り付けた状態において、その外側に突出するブラケット４６が一体的に設けられており、このブラケット４６の先端部には、先端側にローラ軸４７を突設したローラ軸ホルダ４８の基端部がねじ止めされている。ローラ軸４７には、剥離シート付き粘着テープ１１の余長部１７の一側端を突き当ててこれを位置決めするための段部４９を形成した保持ローラ３９が回転自在に取り付けられており、その回転軸線は、下部ユニット３７をドアパネル１２に取り付けた状態において、テープ貼付面１４と平行となるように設定されている。
【００３０】
テープ貼付面１４と保持ローラ３９との間隔は、ブラケット４６に対するローラ軸ホルダ４８の位置を変えることによって調整可能である。
【００３１】
このような本実施例におけるテープ貼付装置を用いて縦窓枠部１３のテープ貼付面１４に粘着テープ１８を貼付する場合、図１０および図１１に示すように、まず上部ユニット２４の上係止部２５および下部ユニット３７の下係止部３８を用いてフロントドアパネル１２の所定位置に取り付けた後、剥離シート付き粘着テープ１１のリーダー部１６の係合穴２１に上部ユニット２４の位置決めピン２６を差し込むと共にその余長部１７の幅方向一端側を下部ユニット３７の保持ローラ３９の段部４９に押し当てながらこれを保持ローラ３９に巻き付け、これら位置決めピン２６と保持ローラ３９との間に剥離シート付き粘着テープ１１が張り渡された状態とする。この場合、剥離シート付き粘着テープ１１の上端側ほど縦窓枠部１３のテープ貼付面１４との間隔が狭くなるように、このテープ貼付面１４に対して剥離シート付き粘着テープ１１が傾斜状態に保持される。
【００３２】
この状態から、図１２に示すように、リーダー部１６と貼付部１５との間の切り込み２２の部分から貼付部１５の剥離シート１９を下側に向けて順に剥離しつつ板状のスクイズ治具５０を用いて縦窓枠部１３のテープ貼付面１４の上端側から下端側に向けて貼付部１５をしごくようにテープ貼付面１４に押し付け、貼付部１５の粘着テープ１８をテープ貼付面１４に貼付して行く。この場合、テープ貼付面１４に対して貼付部１５を垂直に押し当てるだけで貼付部１５をテープ貼付面１４に対して正確に貼付することができ、この操作に伴って保持ローラ３９に巻き付けられた余長部１７の一部が繰り出される。
【００３３】
このようにして、図１３に示すように貼付部１５を縦窓枠部１３のテープ貼付面１４の全域に貼付した後、保持ローラ３９から余長部１７を取り外し、この余長部１７と貼付部１５との間の切り込み２２の部分から図１４に示すように貼付部１５のカバーフィルム２０を引き剥がし、最後にリーダー部１６を上部ユニット２４のリーダー部取り付け部２７から取り外すことにより、縦窓枠部１３のテープ貼付面１４に貼付された貼付部１５の粘着テープ１８を露出状態にさせる。このカバーフィルム２０を貼付部１５から引き剥がす場合、カバーフィルム２０は余長部１７およびリーダー部１６とつながっているため、このカバーフィルム２０と共に余長部１７およびリーダー部１６も貼付部１５から除去することができる。
【００３４】
なお、カバーフィルム２０を設けていない剥離シート付き粘着テープの場合には、貼付部１５の上端および下端の切り込み２２の部分で粘着テープ１８を切断する。
【００３５】
本実施例では、貼付部１５を縦窓枠部１３のテープ貼付面１４に貼付する場合、粘着テープ１８の表面がカバーフィルム２０で被覆されているため、上述したスクイズ治具５０を用いて貼付部１５をしごいたとしても、粘着テープ１８の表面に傷などが形成されず、良好な表面状態を維持することができる。
【００３６】
縦窓枠部１３のテープ貼付面１４に貼付された貼付部１５の粘着テープ１８は、その幅方向両端部がテープ貼付面１４からはみ出した状態となっているため、図示しない適当なスクイズ治具などを用い、このはみ出した部分を図１５に示すようにテープ貼付面１４の裏側に折り返して縦窓枠部１３に巻き込むことにより、このテープ貼付作業を終了する。
【００３７】
【発明の効果】
本発明のテープ貼付装置によると、ワークの所定位置に対して着脱自在に係止し得る係止部を上部ユニットと下部ユニットとに設け、さらにリーダー部と貼付部と余長部とが一体的に形成されている剥離シート付き粘着テープの貼付部の一端側に続くリーダー部を上部ユニットのリーダー部取り付け部に連結すると共に貼付部の他端側に続く余長部を下部ユニットの保持ローラに巻き付けることにより、剥離シート付き粘着テープをテープ貼付面に対して傾斜状態で保持されることとなり、テープ貼付面との間隔が狭い方から順に貼付部の剥離シートを剥がしながら粘着テープをテープ貼付面に押し当てることによって、幅寸法が長手方向に沿って異なる粘着テープであっても、容易かつ正確にワークのテープ貼付面に貼付することができる。
【００３８】
また、リーダー部に設けられた連結孔に嵌合されるピンをリーダー部取り付け部に突設した場合には、上部ユニットに対する貼付部の一端側に続くリーダー部の連結作業を容易かつ迅速に行うことができる。
【００３９】
本発明のテープ貼付方法によると、ワークに形成されたテープ貼付面との間隔がその長手方向に沿って異なるように、リーダー部と貼付部と余長部とが一体的に形成されている剥離シート付き粘着テープをテープ貼付面に対して傾斜状態で保持し、テープ貼付面との間隔が狭い方から順に剥離シートを剥がしながら粘着テープをテープ貼付面に押し当てるようにしたので、幅寸法が長手方向に沿って異なる粘着テープであっても、容易かつ正確にワークのテープ貼付面に貼付することができる。
【００４０】
また、粘着テープの表面をあらかじめカバーフィルムで被覆してある場合には、粘着テープをテープ貼付面に押し当てる際の摩擦によって発生する粘着テープの表面の損傷を防止することができる。
【図面の簡単な説明】
【図１】本発明の対象となった車両の外観を表す斜視図である。
【図２】図１に示した車両に用いられる剥離シート付き粘着テープの外観を表す正面図である。
【図３】本実施例における上部ユニットの外観を表す斜視図である。
【図４】図３に示した上部ユニットの平面図である。
【図５】図４中のＶ−Ｖ矢視断面図である。
【図６】図４中のVI−VI矢視断面である。
【図７】本実施例における下部ユニットの外観を表す斜視図である。
【図８】図７に示した下部ユニットの平面図である。
【図９】図８に示した下部ユニットの左側面図である。
【図１０】本実施例におけるテープ貼付装置の側面図であり、テープ貼付装置に剥離シート付き粘着テープを装着した状態を表す。
【図１１】図１２〜図１４と共に本実施例におけるテープ貼付手順を表す作業概念図であり、テープ貼付装置に剥離シート付き粘着テープを装着した状態を表す。
【図１２】図１１, 図１３, 図１４と共に本実施例におけるテープ貼付手順を表す作業概念図であり、縦窓枠部のテープ貼付面に対して粘着テープの貼着中の状態を表す。
【図１３】図１１, 図１２, 図１４と共に本実施例におけるテープ貼付手順を表す作業概念図であり、縦窓枠部のテープ貼付面に粘着テープを貼着し終えた状態を表す。
【図１４】図１１〜図１３と共に本実施例におけるテープ貼付手順を表す作業概念図であり、粘着テープの表面からカバーフィルムを引き剥がしている状態を表す。
【図１５】縦窓枠部に対する粘着テープの最終的な貼着状態を表す断面図である。
【符号の説明】
１１  剥離シート付き粘着テープ
１２  フロントドアパネル
１３  縦窓枠部
１４  テープ貼付面
１５  貼付部
１６  リーダー部
１７  余長部
１８  粘着テープ
１９  剥離シート
２０  カバーフィルム
２１  係合穴
２２  切り込み
２３  切り欠き穴部
２４  上部ユニット
２５  上係止部
２６  位置決めピン
２７  リーダー部取り付け部
２８  横窓枠部
２９  溝状部分
３０  係合凸部
３１  突起部
３２  係合溝部
３３  保持部
３４  係合溝部の止まり端
３５  永久磁石
３６  案内板
３７  下部ユニット
３８  下係止部
３９  保持ローラ
４０  ランチャンネル
４１  第１嵌合部
４２  開口部
４３  第２嵌合部
４４  開口部
４５  第３嵌合部
４６  ブラケット
４７  ローラ軸
４８  ローラ軸ホルダ
４９  段部
５０  スクイズ治具
【図１】
0004098904.tif 000002
【図２】
0004098904.tif 000003
【図３】
0004098904.tif 000004
【図４】
0004098904.tif 000005
【図５】
0004098904.tif 000006
【図６】
0004098904.tif 000007
【図７】
0004098904.tif 000008
【図８】
0004098904.tif 000009
【図９】
0004098904.tif 000010
【図１０】
0004098904.tif 000011
【図１１】
0004098904.tif 000012
【図１２】
0004098904.tif 000013
【図１３】
0004098904.tif 000014
【図１４】
0004098904.tif 000015
【図１５】
0004098904.tif 000016